(57)【要約】【課題】プラスターボード、珪酸カルシウム板、及び合板等の木質材料を壁材に用いたときに生じる問題点を解消し、強度面や不燃性等に優れた板状材料を提供する【解決手段】住宅等の壁材に用いられる板状材料１０であって、木質板１の表裏面それぞれにバーミキュライトを混入した珪酸カルシウム板２，２を貼着し、前記表裏面全体を前記珪酸カルシウム板２，２で被覆する。木質板１として、合板、ストランドボード、ＭＤＦとストランドボードの一体型板状体を用いることが好ましい。【選択図】図１
2006348613.tif 000002
【特許請求の範囲】
【請求項１】
住宅等の壁材に用いられる板状材料であって、
木質板の表裏面それぞれにバーミキュライトを混入した珪酸カルシウム板を貼着し、前記表裏面全体を前記珪酸カルシウム板で被覆したことを特徴とする板状材料。
【請求項２】
住宅等の壁材に用いられる板状材料であって、
バーミキュライトを混入した珪酸カルシウム板の表裏面それぞれに木質板を貼着し、前記表裏面全体を前記木質板で被覆したことを特徴とする板状材料。
【請求項３】
前記木質板は、合板であることを特徴とする請求項１又は請求項２に記載の板状材料。
【請求項４】
前記木質板は、ストランドボードであることを特徴とする請求項１又は請求項２に記載の板状材料。
【請求項５】
前記木質板は、ＭＤＦとストランドボードの一体型板状体であることを特徴とする請求項１又は請求項２に記載の板状材料。
【発明の詳細な説明】
【技術分野】
【０００１】
本発明は、住宅等の壁材に用いられる板状材料に関する。
【背景技術】
【０００２】
住宅等の建築における内装壁材等の板状材料としては、以前は、合板や漆喰等が多く使用されていたが、近年では、工業的に大量生産が可能なプラスターボードが多く使用されている。プラスターボードは安価で不燃性もあり、表面平滑性も良好なので壁の下地材として好都合である。
又、不燃建材として珪酸カルシウム板もある。これはプラスターボードに比較して強度面で優れている上に、廃棄時には管理型処分場を必要としない特徴がある。
一方、外装壁下地としては構造用合板を使用する事が一般化している。構造用合板は釘や木ネジの保持力に優れていて、強度も抜群である。特に地震や風水害の多発する我が国の住宅では比較的容易に壁の強度を向上できるので、木造住宅には欠かせない存在となりつつある。又、合板用の木材資源の枯渇が問題となっているので、ストランドボードの1種であるＯＳＢ等の木質材料や一部では窯業系建材を使用する場合もある。
【０００３】
なお、珪酸カルシウム板の中でも、特にバーミキュライトを混入したものが、湿度調整や消臭効果、ホルムアルデヒドの吸収作用等の点で優れている（例えば、特許文献１参照）。
また、壁材以外の建築材料として、合板と珪酸カルシウム板を複合させた屋根下地材についての発明が開示されている（例えば、特許文献２参照）。
【特許文献１】特開２００３−１４６７１８号公報
【特許文献２】特開２０００−３４８０９号公報
【発明の開示】
【発明が解決しようとする課題】
【０００４】
しかし、従来の壁材として多用されているプラスターボード、珪酸カルシウム板、及び合板等の木質材料は、それぞれ次に示すような欠点を有していた。
【０００５】
（１）プラスターボード及び珪酸カルシウム板
＜強度＞
プラスターボードの主成分である石膏は基本的に脆く、すぐに砕けてしまいやすい。運搬中少しでも乱暴な扱いを行ったり、角部分が軽く接触しただけでも砕けてしまうので、運搬及び施工には細心の注意が必要である。
珪酸カルシウム板はこの点、かなり改善されているが、合板に比較すれば依然として劣っていて、取り扱いには注意が必要である。
＜木ネジや釘の保持力＞
プラスターボードに木ネジや釘等は打ち込む事はできても抜けやすく、地震対策としての家具類固定金具や手すりの取り付けに際しては、壁材の裏面に柱がある場所に限定される。額や時計といった比較的軽量な小物の固定も、特殊なボード用釘を必要とする。
珪酸カルシウム板はこの点、かなり改善されているが、合板に比較すれば依然として劣っていて、実用的には概ね１２ミリ以上の厚さが必要である。
＜装飾性＞
プラスターボードの表裏面は紙を使用しているが、化粧性に乏しく、居室ではビニルクロス等の仕上げ材が必須である。ところが、ビニルクロスは、耐久性が低く、塩化ビニールを主成分とするプラスチック材料であり、火災時には有毒ガスの発生の恐れがある。また、汚染や破損した場合、部分補修が困難で張り替えざるを得ない場合が多い。
尚、珪酸カルシウム板はそのままでも使用可能で、しかも多少の汚染や損傷はサンドペーパーにて研削すれば除去が可能である。
＜廃棄時の対応＞
プラスターボードは紙と一体化されていて分離は困難であり、雨水が掛かると有害なガスを発生し、廃水は汚染されるので、これらが理された管理型処分場が必要である。従って、資源としての再利用は極めて困難である。
＜ホルムアルデヒド発散＞
プラスターボード自体からはホルムアルデヒドの発散は無いが、上に貼着されるビニルクロスの施工に際して使用される接着剤からはホルムアルデヒド発散の恐れがある。又、プラスターボードにはホルムアルデヒド吸収能力は無い。
＜不燃性＞
プラスターボードは製法上、表裏面に紙を使用しているのでここは燃えるが本体は不燃性である。従って不燃材料に分類される。しかし、強度が低いので火災時に外力が加わった場合、破損してしまう恐れがある。
【０００６】
（２）合板等の木質材料
＜装飾性＞
合板等の木質材料に関しては、化粧単板を貼着すれば装飾性が良好とはなる。しかし、補修は困難である。ビニルクロスを貼着した場合は耐久性が低く、塩化ビニールを主成分とするプラスチック材料であり、火災時には有毒ガスの発生の恐れがある。又、汚染や破損した場合、部分補修が困難で張り替えざるを得ない場合が多い。
＜ホルムアルデヒド発散＞
合板等の木質材料は接着剤の種類によってはホルムアルデヒドの発生がある。又、単板として使用されている木材の樹種によっては木材自体からのホルムアルデヒド発生が見られる例もある。ホルムアルデヒド発生量の少ない接着剤を用いることが一般化しているが、高価で接着力もやや劣る問題がある。
＜不燃性＞
合板等の木質材料は木材を原料として使用しているので、可燃性である。実際の火災では燃焼が進行するに従って、炭化層が形成され、これが断熱層となって燃焼速度が低下することが実証されているが、６〜９ミリ程度の薄い合板では、断熱層として役立つ炭化層が形成される以前に焼け落ちて崩壊する可能性が高い。
【０００７】
そこで本発明は、上記従来の課題を解決するためのものであり、プラスターボード、珪酸カルシウム板、及び合板等の木質材料を壁材に用いたときに生じる問題点を解消し、強度面や不燃性等に優れた板状材料を提供するものである。
【課題を解決するための手段】
【０００８】
上記従来の課題を解決するために、請求項１に係る発明の板状材料は、住宅等の壁材に用いられる板状材料（１０）であって、木質板（１）の表裏面それぞれにバーミキュライトを混入した珪酸カルシウム板（２，２）を貼着し、前記表裏面全体を前記珪酸カルシウム板（２，２）で被覆したことを特徴とする。
【０００９】
また、請求項２に係る発明の板状材料は、住宅等の壁材に用いられる板状材料（２０）であって、バーミキュライトを混入した珪酸カルシウム板（２）の表裏面それぞれに木質板（１，１）を貼着し、前記表裏面全体を前記木質板（１，１）で被覆したことを特徴とする。
【００１０】
また、請求項３に係る発明は、請求項１又は請求項２に記載の発明において、前記木質板（１）は、合板（３）であることを特徴とする。
【００１１】
また、請求項４に係る発明は、請求項１又は請求項２に記載の発明において、前記木質板（１）は、ストランドボード（４）であることを特徴とする。
ストランドボードは、長方形状の薄い削片（ストランド）を積層し接着して形成された板材である。特に、削片（ストランド）の繊維方向を板材の表裏層と中心層で直交するように配列したＯＳＢ（オリエンテッド・ストランド・ボード）を用いることが好ましい。
【００１２】
また、請求項５に係る発明は、請求項１又は請求項２に記載の発明において、前記木質板（１）は、ＭＤＦ（中密度繊維板）とストランドボードの一体型板状体（５）であることを特徴とする。
【００１３】
なお、括弧内の記号は、発明を実施するための最良の形態および図面に記載された対応要素または対応事項を示す。
【発明の効果】
【００１４】
請求項１又は請求項２に記載の発明によれば、木質板の表裏面それぞれに珪酸カルシウム板を貼着し、又は珪酸カルシウム板の表裏面それぞれに木質板を貼着するので、強度の劣る珪酸カルシウム板と、強度の優れた木質板を貼り合わせることにより、壁材として充分な強度を有する板状材料を得る事ができる。
また、珪酸カルシウム板よりも木質板の方が軽いので、同じ厚さの珪酸カルシウム板と比べて、木質板と貼り合わせた方が重量を減少させることができる。
また、珪酸カルシウム板だけでは木ねじや釘の保持力が弱いが、木質板を貼着することにより木ネジや釘の保持力を確保することができる。
また、珪酸カルシウム板も木質板も廃棄処分時には特に管理型処分場は不要であり、長期間かければ分解させて土に返すことができる。
また、バーミキュライトを混入した珪酸カルシウム板を用いるので、ホルムアルデヒドを吸収分解することができる。
【００１５】
また、請求項１に記載の発明によれば、木質板の表裏面全体が珪酸カルシウム板で覆われているので、不燃性に優れる。また装飾を必要とする場所に用いれば、珪酸カルシウム板が外側の面となり、多少の汚染や損傷はサンドペーパーにて研削して除去することができる。
【００１６】
また、請求項２に記載の発明によれば、珪酸カルシウム板の表裏面全体が木質板で覆われているので、視覚・触感に優しい。また、表裏の両側が木質板であり、強度面に優れる。
【００１７】
また、請求項３に記載の発明によれば、請求項１又は請求項２に記載の発明の作用効果に加えて、木質板として合板を用いるので、特に強度面で優れた板状材料を得ることができる。
【００１８】
また、請求項４に記載の発明によれば、請求項１又は請求項２に記載の発明の作用効果に加えて、木質板としてストランドボードを用いるので、壁材として充分な強度を確保しつつ木材資源を有効に活用することができる。
【００１９】
また、請求項５に記載の発明によれば、請求項１又は請求項２に記載の発明の作用効果に加えて、木質板としてＭＤＦとストランドボードの一体型板状体を用いるので、壁材として充分な強度を確保しつつ木材資源を有効に活用することができる。
【発明を実施するための最良の形態】
【００２０】
次に図１を参照して、本発明の実施形態に係る板状材料について説明する。図１は本実施形態に係る板状材料１０を示す断面図である。
板状材料１０は、中心層に配置される木質板１と、木質板１の表裏面に接着剤により貼着される珪酸カルシウム板２，２から構成されている。そして、木質板１の表裏面全体が珪酸カルシウム板２，２で覆われている。また、珪酸カルシウム板２には、バーミキュライトが混入されている。
木質板１の厚さ、及び珪酸カルシウム板２の厚さをともに３〜６ｍｍとし、板状材料１０全体の厚さを９〜１５ｍｍとすれば、取り扱いが容易であり、壁材としての強度的にも問題なく使用が可能である。
【００２１】
次に図２を参照して、別の実施形態に係る板状材料について説明する。図２は別の実施形態に係る板状材料２０を示す断面図である。
板状材料２０は、中心層に配置される珪酸カルシウム板２と、珪酸カルシウム板２の表裏面に接着剤により貼着される木質板１，１から構成されている。そして、珪酸カルシウム板２の表裏面全体が木質板１，１で覆われている。また、珪酸カルシウム板２には、バーミキュライトが混入されている。
珪酸カルシウム板２の厚さ、及び木質板１の厚さをともに３〜６ｍｍとし、板状材料２０全体の厚さを９〜１５ｍｍとすれば、取り扱いが容易であり、壁材としての強度的にも問題なく使用が可能である。
【００２２】
次に図３乃至図５を参照して、上記実施形態における木質板１として用いることのできる木質材料について説明する。木質板１の断面図として、それぞれ図３は合板３、図４はストランドボード４、図５はＭＤＦ（中密度繊維板）とストランドボードの一体型板状体５を示している。
なお、木質板１としては他にも、ＬＶＬ、パーティクルボード、ＭＤＦ等が使用可能である。
【００２３】
合板３は、図３に示すように、単板３１，３２，３３をその繊維方向（木目方向）が交差するように積み重ね、接着剤を塗布して貼り合わせて１枚の板として形成されている。繊維方向を交差させているため、強度が高く伸び縮みが少ない優れた木質材料である。
【００２４】
ストランドボード４は、長方形状の薄い削片（ストランド）を積層し接着して形成された木質材料である。ここでストランドボードの中でも、図４に示すように、削片の繊維方向を表裏面のストランド層４１，４３と中心のストランド層４２で直交するように配列したＯＳＢ（オリエンテッド・ストランド・ボード）が、合板と同様の効果を示し強度面で優れている。
【００２５】
ＭＤＦ（中密度繊維板）とストランドボードの一体型板状体５は、図５に示すように、表裏面にファイバー層（繊維層）５１，５３が配置され、中心にストランド層５２が配置されている。従って、表裏面はＭＤＦと同様に平滑で硬く、中心部分はストランドボード同様に釘の保持力や強度に優れている。なお、ファイバー層５１，５３とストランド層５２は、別個に板状に製造されてから貼着するのではなく、バラバラの状態で積層され熱圧一体化されることにより製造される。
【００２６】
表１乃至表３は、上記実施形態のうち、図１に示すような、木質板１の表裏面に珪酸カルシウム板２を貼着した板状材料１０について、その性能をプラスターボード、木質板、珪酸カルシウム板をそれぞれ単独で用いた場合と比較したものである。このうち表１は木質板１として合板３を、表２はストランドボード４を、表３はＭＤＦとストランドボードの一体型板状体５をそれぞれ用いた場合を示したものである。
【００２７】
【表１】
2006348613.tif 000003
【００２８】
【表２】
2006348613.tif 000004
【００２９】
【表３】
2006348613.tif 000005
【００３０】
表１乃至表３に示すように、板状材料１０は、木質板１と珪酸カルシウム板２の欠点を補い合うことにより、優れた性能を発揮することができるようになっている。
【００３１】
板状材料１０又は板状材料２０によれば、木質板１の表裏面それぞれに珪酸カルシウム板２を貼着し、又は珪酸カルシウム板２の表裏面それぞれに木質板１を貼着するので、強度の劣る珪酸カルシウム板２と、強度の優れた木質板１を貼り合わせることにより、壁材として充分な強度を有する板状材料１０，２０を得る事ができる。通常の取り扱いでは殆ど合板と同等の扱いが可能である。
【００３２】
また、珪酸カルシウム板２よりも木質板１の方が軽いので、同じ厚さの珪酸カルシウム板２と比べて、木質板１と貼り合わせた方が重量を減少させることができる。
同じ厚さのバーミキュライト混入珪酸カルシウム板（比重０．９〜１．０）より合板（比重０．５〜０．７）の方が軽いので、例えば比重１．０のバーミキュライト混入珪酸カルシウム板３ミリの両面に比重０．５５の合板３ミリを２枚張り合わせた場合は重量が３０％減少する。
【００３３】
また、珪酸カルシウム板２だけでは木ねじや釘の保持力が弱いが、木質板１を貼着することにより木ネジや釘の保持力を確保することができる。実際の使用においてはほぼ合板と同等の扱いが可能である。また、木質板１の持つ粘り強さの為に、多少の破損やネジの緩みがあっても急激な破壊は生じにくい。
【００３４】
また、珪酸カルシウム板２も木質板１も廃棄処分時には特に管理型処分場は不要であり、長期間かければ分解させて土に返すことができるものである。
【００３５】
また、バーミキュライトを混入した珪酸カルシウム板２を用いるので、ホルムアルデヒドを吸収分解することができる。
ここで、木質板１は製法上、使用する接着剤からホルムアルデヒド発生の恐れが多少残されているが、バーミキュライトを混入した珪酸カルシウム板２はホルムアルデヒドを発散しないばかりでなく、積極的に吸収分解する作用もある。
従って、木質板１と張り合わせた場合には全体としては殆ど発生しないばかりでなく、周辺のホルムアルデヒドを吸収・分解する作用がある。木質板１の製造用接着剤は高価で接着性能も劣る低ホルムアルデヒド接着剤をわざわざ用いなくても、多少ホルムアルデヒドが発生する接着剤でも十分な性能を得ることが可能である。更に、他の家具等から発生するホルムアルデヒドも積極的に吸収・分解が可能である。
【００３６】
また、板状材料１０によれば、木質板１の表裏面全体が珪酸カルシウム板２で覆われているので、不燃性に優れる。また装飾を必要とする場所に用いれば、珪酸カルシウム板２が外側の面となり、多少の汚染や損傷はサンドペーパーにて研削して除去することができる。
【００３７】
また、板状材料２０によれば、珪酸カルシウム板２の表裏面全体が木質板１で覆われているので、視覚・触感に優しい。また、表裏の両側が木質板１であり、強度面に優れる。
【００３８】
また、木質板１として合板３を用いることにより、特に強度面で優れた板状材料１０，２０を得ることができる。
また、木質板１としてストランドボード４を用いることにより、壁材として充分な強度を確保しつつ木材資源を有効に活用することができる。
また、木質板１としてＭＤＦとストランドボードの一体型板状体５を用いることにより、壁材として充分な強度を確保しつつ木材資源を有効に活用することができる。
【図面の簡単な説明】
【００３９】
【図１】本発明の実施形態に係る板状材料を示す断面図である。
【図２】別の実施形態に係る板状材料を示す断面図である。
【図３】合板を示す断面図である。
【図４】ストランドボードを示す断面図である。
【図５】ＭＤＦとストランドボードの一体型板状体を示す断面図である。
【符号の説明】
【００４０】
１    木質板
２    珪酸カルシウム板
３    合板
４    ストランドボード
５    ＭＤＦとストランドボードの一体型板状体
３１    単板
３２    単板
３３    単板
４１    ストランド層
４２    ストランド層
４３    ストランド層
５１    ファイバー層
５２    ストランド層
５３    ファイバー層
【図１】
2006348613.tif 000006
【図２】
2006348613.tif 000007
【図３】
2006348613.tif 000008
【図４】
2006348613.tif 000009
【図５】
2006348613.tif 000010